(57)【特許請求の範囲】
【請求項１】
股間にあてがわれる股間部とその前側に延在する腹側部分とに亘るように少なくとも形成された繊維集合体からなる吸収体が、液体を透過させる透液性トップシートと液体を透過させない不透液性バックシートとの間に介在され、この不透液性バックシートの他面側に不織布からなる外装シートを積層した吸収性物品において、
吸収体における股間部の幅方向中央部の左右両側に、表面側からみて山折りとされる一対の易折り曲げ部が幅方向に間隔を空けて、それぞれ線状に股間部が延びる方向に沿って延在され、
外装シートの裏面における、腹側部分から股間部までの領域内であって且つ一対の易折り曲げ部よりも幅方向外側に、外装シートの他の部分と接合し得る仮止め部をそれぞれ設けたことを特徴とする吸収性物品。
【請求項２】
仮止め部が、一対の易折り曲げ部を挟んだ相互に異なる側であって、一対の易折り曲げ部で吸収体をそれぞれ折り曲げた際に外装シートの相互に異なる部分にそれぞれ配置される形で、複数設けられたことを特徴とする請求項１記載の吸収性物品。
【請求項３】
吸収体における左側の易折り曲げ部の前端部から幅方向左側縁まで、及び右側の易折り曲げ部の前端部から幅方向右側縁までに、それぞれ第２の易折り曲げ部が線状に延在されるとともに、仮止め部が第２の易折り曲げよりも前側に設けられている、
ことを特徴とする請求項１又は請求項２記載の吸収性物品。
【請求項４】
仮止め部をメカニカルテープとすることを特徴とする請求項１から請求項３の何れかに記載の吸収性物品。
【発明の詳細な説明】
【技術分野】
【０００１】
本発明は、褥瘡（床ずれ）予防を目的とした紙おむつ、吸収パッド等の吸収性物品に関するものである。
【背景技術】
【０００２】
褥瘡は、寝たきりの人や車いすが手放せない人、自分では体の向きや位置を変えられない人に発生し易いものであり、特に、骨が盛り上がっていて圧迫がかかりやすい部分、たとえば腰、尻などに発生し易いものである。ここで、褥瘡の直接の原因は局所的な圧迫による血流の停止であるが、皮膚が尿や便などの水分に長時間さらされたままになっていると皮膚の表面が弱くなり、損傷を受け易くなる結果、褥瘡が発生し易くなる。
【特許文献１】特許第３７６４０１０号公報
【特許文献２】特許第３６８５８７４号公報
【発明の開示】
【発明が解決しようとする課題】
【０００３】
しかし、従来の吸収性物品では、排尿時、特に褥瘡が発生し易い仙骨部や尾骨部の存在する身体背側の臀部が尿で濡れてしまい、褥瘡が発生し易くなっていた。より詳細には、従来の吸収性物品では、股間部において身体と物品との間に隙間が生まれ易いものであった。特に尿を吸収した吸収性物品は自重で下に引っ張られるため、このような隙間の発生は避け得ないものであった。しかも、このような隙間は、腹側から背側までの略全体に存在する吸収体の全てに尿を行き渡らせることにより吸収体全体を使い切るという観点ではむしろ好ましいものであった。
【０００４】
但し、このような通常の吸収性物品における液拡散の設計思想が裏目に出てしまうことがある。つまり、従来の吸収性物品では、身体の排尿口部と吸収性物品の股間部とを離間する構造とされている為、身体背側とされる臀部側に尿が拡散し易く、臀部に褥瘡等のスキントラブルを起こす虞を有していた。
【０００５】
他方、吸収性物品を一般に紙おむつの内側にファスナや粘着部等によって貼付けて固定することがあった。具体的には、上記特許文献１では、雄型ファスナを吸収性物品とされるインナーパネルの裏面に設け、インナーパネルを紙おむつに被覆した状態でこの雄型ファスナによりインナーパネルを固着している。また、上記特許文献２では、吸収性物品とされる補助パットにおける吸収体の存在していないフラップ端部に粘着部を有し、この粘着部で紙おむつに補助パットを固着している。但し、ファスナや粘着部等を他の用途に用いたものは無かった。
【０００６】
そこで、本発明の主たる課題は、身体背側とされる臀部の尿汚染による褥瘡の予防に優れる吸収性物品を提供することにある。
【課題を解決するための手段】
【０００７】
請求項１に係る吸収性物品は、股間にあてがわれる股間部とその前側に延在する腹側部分とに亘るように少なくとも形成された繊維集合体からなる吸収体が、液体を透過させる透液性トップシートと液体を透過させない不透液性バックシートとの間に介在され、この不透液性バックシートの他面側に不織布からなる外装シートを積層した吸収性物品において、
吸収体における股間部の幅方向中央部の左右両側に、表面側からみて山折りとされる一対の易折り曲げ部が幅方向に間隔を空けて、それぞれ線状に股間部が延びる方向に沿って延在され、
外装シートの裏面における、腹側部分から股間部までの領域内であって且つ一対の易折り曲げ部よりも幅方向外側に、外装シートの他の部分と接合し得る仮止め部をそれぞれ設けたことを特徴とする。
【０００８】
請求項１に係る吸収性物品の作用を以下に説明する。
本請求項の吸収性物品によれば、透液性トップシートと不透液性バックシートとの間に、股間にあてがわれる股間部とその前側に延在する腹側部分とに亘るように形成された繊維集合体からなる吸収体が、介在されている。また、この不透液性バックシートの他面側に不織布からなる外装シートが積層されている。
【０００９】
この一方、吸収体における股間部に沿った部分に、それぞれ切り込みとされる一対の易折り曲げ部がそれぞれ線状に股間部が延びる方向に沿って延在されていて、これら一対の易折り曲げ部に対する外装シートの外側部分に仮止め部が設けられている。そして、これら一対の易折り曲げ部で吸収体をそれぞれ折り曲げた際に、仮止め部が外装シートの他の部分と接合できるようになっている。
【００１０】
つまり、吸収体に一対の易折り曲げ部を設けると共に、不透液性バックシートに外装シートを積層するのに伴って一対の易折り曲げ部よりも外装シートの外側部分に仮止め部を設けるようにした結果、吸収性物品を身体の股間に当てる際に、一対の易折り曲げ部で吸収体を折り曲げて、外装シートの外側部分同士を仮止め部によって仮止めることで、股間部において吸収体を含む吸収性物品の部分を常に山折り形状に保てることなる。従って、吸収性物品の山折り形状を保てるのに伴い、常に吸収性物品を身体の排尿口部に面状に密着できる結果として、腹側部分で局所吸収を促進して臀部を尿で濡らさないようにでき、これに伴って臀部の褥瘡等のスキントラブルを軽減できるようになる。
【００１１】
請求項２に係る吸収性物品の作用を以下に説明する。
本請求項に係る吸収性物品は請求項１と同一の作用を奏する。但し、本請求項では、仮止め部が、一対の易折り曲げ部を挟んだ相互に異なる側であって、一対の易折り曲げ部で吸収体を折り曲げた際に外装シートの相互に異なる部分にそれぞれ配置される形で、複数設けられるという構成を有している。
【００１２】
つまり、本請求項によれば、複数の仮止め部が存在することで、股間部において吸収体を含む吸収性物品の部分をより確実に折り形状に保てるようになるだけでなく、例えば紙おむつを穿く際には、この紙おむつの内面側に貼付けられている不織布に、外装シートの相互に異なる部分に幅広く配置される複数の仮止め部で接合することで、紙おむつに対する吸収性物品のずれも確実に防止できるようになる。
【００１３】
請求項３に係る吸収性物品の作用を以下に説明する。
本請求項に係る吸収性物品は請求項１と同一の作用を奏する。但し、本請求項では、一対の易折り曲げ部よりも吸収体の後側部分に、吸収体の一方の側縁から他方の側縁までに亘っての切り込みとなる拡散防止部が形成されるという構成を有している。
つまり、本請求項によれば、拡散防止部の存在により、常に吸収性物品を身体の排尿口部に面状に密着できるだけでなく、臀部側に尿が行くことをより確実にこの拡散防止部によって阻止できる。従って、腹側部分での局所的な尿の吸収を促進して、臀部を尿で濡らすことを確実にように防止できる為、臀部の褥瘡等のスキントラブルを一層軽減できるようになる。
【００１４】
請求項４に係る吸収性物品の作用を以下に説明する。
本請求項に係る吸収性物品は請求項１と同一の作用を奏する。但し、本請求項では、仮止め部をメカニカルテープとするという構成を有している。つまり、本請求項によれば、仮止め部をメカニカルテープとしたことで、一対の易折り曲げ部に対する外装シートの外側部分同士を仮止め部により接合して仮止める際に、吸収体を股間部においてより確実に折り形状に保てるようになる。
【発明の効果】
【００１５】
以上のとおり本発明よれば、身体背側とされる臀部の尿汚染による褥瘡の予防に優れる吸収性物品となる等の利点がもたらされる。
【発明を実施するための最良の形態】
【００１６】
以下では、吸収パッドの例を用いて本発明に係る吸収性物品の第１の実施の形態を図示しつつ説明するが、本発明は止着式又はパンツ型等の各種の紙おむつにも適用できるものである。
【００１７】
図１〜図６は、本発明に係る吸収性物品の具体例とされる第１の実施の形態の吸収パッドを示している。この吸収パッドは、単体で、あるいは紙おむつの内面に敷いて使用されることを想定したものであり、前後方向中間部をなして股間にあてがわれる股間部Ｍと、その前後両側に延在する腹側部分Ｆ及び背側部分Ｂとを有するものである。
【００１８】
各部の寸法は適宜定めることができ、物品全長（前後方向長さ）Ｌ１は４９０〜６３０ｍｍ程度、全幅は２８０〜３２０ｍｍ程度とすることができ、この場合における股間部Ｍの前後方向長さは１５０〜１９０ｍｍ程度、幅は２８０〜３２０ｍｍ程度、腹側部分Ｆ３の前後方向長さは１１０〜１５０ｍｍ程度、幅は１５０〜３２０ｍｍ程度、及び背側部分Ｂの前後方向長さは１１０〜１５０ｍｍ程度、幅は１１０〜３２０ｍｍ程度とすることができる。特に、図示形態のように、腹側部分Ｆの幅が背側部分Ｂの幅よりも広く（例えば５０〜１００ｍｍ程度）、股間部Ｍの腹側が腹側部分Ｆと同幅となり且つ背側が背側部分Ｂと同幅となるように、股間部Ｍの幅が前後方向中間部で変化されているのが好ましい。
【００１９】
この吸収パッドは、液体を透過させない不透液性バックシート２の内面と液体を透過させる透液性トップシート１との間の位置であって、股間部Ｍから腹側部分Ｆに亘った部分に、繊維集合体からなる吸収体３が介在された基本構造を有している。そして、この不透液性バックシート２の他面側となる外面側には、不織布からなる外装シート１２が積層されている。
【００２０】
吸収体３としては、パルプ繊維の積繊体、セルロースアセテート等のフィラメントの集合体、あるいは不織布を基本とし、必要に応じて吸収性ポリマーを混合、固着等してなるものを用いることができる。必要に応じて、吸収体３はクレープ紙（図示せず）により包むことができる。また、吸収体３の形状は、図示のように相対的に前側の部分が後側の部分よりも幅広な帯状、あるいは長方形状、台形状等、適宜の形状とすることができる。
吸収体３における繊維目付け及び吸収性ポリマーの目付けは適宜定めることができるが、繊維目付けは１５０〜４００ｇ／ｍ2程度とするのが好ましく、また吸収性ポリマーの目付けは１５０〜４２０ｇ／ｍ2程度とするのが好ましい。
【００２１】
吸収体３の裏面側には、不透液性バックシート２が吸収体３の周縁より若干食み出すように設けられている。不透液性バックシート２としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２２】
また、不透液性バックシート２の外面側は、前述のように不織布からなる外装シート１２により覆われており、この外装シート１２は、所定の食み出し幅をもってバックシート２の周縁より外側に食み出している。外装シート１２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２３】
吸収体３の表面側は、透液性トップシート１により覆われている。図示形態ではトップシート１の側縁から吸収体３が一部食み出しているが、吸収体３の側縁が食み出さないようにトップシート１の幅を広げることもできる。トップシート１としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２４】
吸収パッドの前後方向両端部では、外装シート１２および透液性トップシート１が吸収体３の前後端よりも前後両側にそれぞれ延在されて貼り合わされ、吸収体３の存在しないエンドフラップ部ＥＦが形成されている。吸収パッドの両側部では、外装シート１２が吸収体３の側縁よりも外側にそれぞれ延在され、この延在部からトップシート１の側部までの部分の内面にはバリヤシート４の幅方向外側の部分４ｘが前後方向全体にわたり貼り付けられ、吸収体３の存在しないサイドフラップ部ＳＦを構成している。これら貼り合わせ部分は、図３では点模様で示されており、ホットメルト接着剤、ヒートシール、超音波シールにより形成できる。外装シート１２を設けない場合、外装シート１２に代えて不透液性バックシート２をサイドフラップ部ＳＦまで延在させ、サイドフラップ部ＳＦの外面側を形成することができる。
【００２５】
バリヤシート４の素材としては、プラスチックシートやメルトブローン不織布を使用することもできるが、肌への感触性の点で、不織布にシリコンなどにより撥水処理をしたものが好適に使用される。
バリヤシート４の幅方向中央側の部分４ｃはトップシート１上にまで延在しており、その幅方向中央側の端部には、細長状弾性部材４Ｇが前後方向に沿って伸張状態でホットメルト接着剤等により固定されている。この細長状弾性部材４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２６】
また、両バリヤシート４，４は、幅方向外側の部分４ｘが前後方向全体にわたり物品内面（図示形態ではトップシート１表面および外装シート１２内面）に貼り合わされて固定されるとともに、幅方向中央側の部分４ｃが、前後方向の両端部では物品内面（図示形態ではトップシート１表面）に貼り合わされて固定され、かつ前後方向の両端部間では物品内面（図示形態ではトップシート１表面）に固定されていない。この非固定部分は、図３に示されるように、物品内面（図示形態ではトップシート１表面）に対して起立可能なバリヤ部となる部分であり、その起立基端はバリヤシート４における幅方向外側の固定部分４ｘと内側の部分４ｃとの境に位置する。
【００２７】
図６にも示すように、吸収体３における股間部Ｍの幅方向中央部の左右両側部分には、それぞれ腹側部分Ｆとの境界から物品後側に切り込みとされる一対の易折り曲げ部である第１の易折り曲げ部３ｙが線状に股間部Ｍが延びる方向に沿って延在されている。また、吸収体３における左側の第１の易折り曲げ部３ｙの前端部から幅方向左側縁までと、吸収体３における右側の第１の易折り曲げ部３ｙの前端部から幅方向右側縁までには、それぞれ第２の易折り曲げ部３ｘが線状に延在されている。
【００２８】
左右の第１の易折り曲げ部３ｙは幅方向間隔Ｄ１が６０〜１５０ｍｍであり、且つ前後方向長さＬ２が５０〜１００ｍｍであるのが好ましい。幅方向間隔Ｄ１が狭すぎると股間部Ｍの膨出が維持され難く、広すぎると股間部Ｍにおける膨出が大きくなりすぎ、もこもことした装着感になる。第１の易折り曲げ部３ｙは、前後方向に対する角度θ１が±３０度の範囲内にあるのが好ましく、中でも±１０度の範囲内にあるのが好ましく、特に図示のように０度であるのが好ましい。また、第１の易折り曲げ部３ｙは、図示例のように直線状とする他、例えば脚周りに沿うように前後方向中間部が幅方向中央側に膨出する湾曲形状とすることもできる。また、図１に示す展開状態においてバリヤシート４の先端縁４ｆが、第１の易折り曲げ部３ｘ上又はその近傍に位置するように構成されているのも好ましい。
【００２９】
第２の易折り曲げ部３ｘは、幅方向に対する角度θ２が−６０度から＋６０度の範囲（図示のように幅方向に沿う状態は０度）に設けられるものである。この角度範囲は、±４５度であるのが好ましく、中でも０〜＋６０度（＋は斜め前側）であるのが好ましく、特に０〜＋４５度であるのが好ましい。また、第２の易折り曲げ部３ｘは、図示例のように直線状とする他、例えば鼠蹊部に沿うように前後方向中間部がパッド前側かつ幅方向中央側に膨出する湾曲形状とすることもできる。ここで、本発明の易折り曲げ部３ｙ，３ｘは、より折れ曲がり易くなるスリットにより形成することができ、その幅は５〜２０ｍｍ程度とするのが好ましい。
【００３０】
これら一対の第１の易折り曲げ部３ｙに対する外装シート１２の外側部分には、図２及び図４に示すように、四角形に形成された仮止め部であるメカニカルテープ１４ａ、１４ｂの裏面側が接着剤１５ａにより貼付けられることで、これら２つのそれぞれ表面側にフック１５ｂを有したメカニカルテープ１４ａ、１４ｂが、この外装シート１２の外側部分にそれぞれ固定されている。具体的には、図２に示すように、一対の第１の易折り曲げ部３ｙを挟んだ相互に異なる側であって、一対の第１の易折り曲げ部３ｙで吸収体３を山折りに折り曲げた際に外装シート１２の相互に異なる位置にそれぞれ配置される形で、それぞれ雄型とされる２つのメカニカルテープ１４ａ、１４ｂが設けられている。
【００３１】
つまり、本実施の形態では、一方のメカニカルテープ１４ａが、一対の第１の易折り曲げ部３ｙの外側部分とされる図２の左上側寄りの位置に配置され、他方のメカニカルテープ１４ｂが、一対の第１の易折り曲げ部３ｙの外側部分とされる図２の右下側寄りの位置に配置されている。そして、これら一対の第１の易折り曲げ部３ｙで吸収体３をそれぞれ折り曲げた際に、左上側寄りのメカニカルテープ１４ａが、一対の第１の易折り曲げ部３ｙに対する外装シート１２の他の外側部分である外装シート１２の右上側部分に仮に接合される。同じく吸収体３をそれぞれ折り曲げた際に、右下側寄りのメカニカルテープ１４ｂが、一対の第１の易折り曲げ部３ｙに対する外装シート１２の他の外側部分である外装シート１２の左下側部分に仮に接合される。
【００３２】
この際、雄型のメカニカルテープ１４ａ、１４ｂは不織布とされる外装シート１２に必要な接着力を有しつつ問題なく仮に接合され、必要な時には容易に外せるようになっている。この為、図５に示すように吸収パッドの少なくとも股間部Ｍを山折りにして身体に当てた後、例えばパンツ型の紙おむつを穿く場合には、メカニカルテープ１４ａ、１４ｂと外装シート１２との間の接合を外して、紙おむつの内面側に貼付けられている不織布に２つのメカニカルテープ１４ａ、１４ｂをそれぞれ接合することで、紙おむつに対する吸収パッドのずれも防止できるようになる。
【００３３】
より好ましい形態では、図示のように、股間部Ｍにおける第１の易折り曲げ部３ｙよりも後側に、吸収体３の幅方向一方側の側縁から他方側の側縁まで連続する切り込みとなるスリット又はエンボス加工等による圧縮加工部からなる拡散防止部３ｚがＶ字状に形成されている。このよう拡散防止部３ｚが設けられていると、その前側で吸収した尿の浸透拡散が当該拡散防止部３ｚで遮断又は堰き止められる。よって、背側への尿の拡散が防止されるため、褥瘡予防効果がより一層のものとなる。この拡散防止部３ｚの幅は５〜２０ｍｍ程度とするのが好ましい。また、拡散防止部３ｚとしては、スリットの方が尿の拡散を遮断する効果が高いため好ましい。
【００３４】
この拡散防止部３ｚは、股間部Ｍの範囲内において第１の易折り曲げ部３ｙの後端から前側に１０ｍｍの位置まで及び後側に３０ｍｍの位置までの範囲に設けられるのが好ましい。また、拡散防止部３ｚの形状は適宜定めることができるが、図６に示すように幅方向中間部が前側に膨出するＶ字状形状が好ましい。
このような膨出形状としては、湾曲状よりも、図示のように幅方向中央で屈曲する山形が好ましく、特に図示のように徐々に幅方向に沿うような形状とするために変曲点を設けるのが好ましい。拡散防止部３ｚがこのような膨出形状を有していると、後側へ向かって浸透拡散する尿が、拡散防止部３ｚに沿って斜めに向きを変え、拡散防止部３ｚを越え難くなる。
【００３５】
さらに、背側への尿の拡散を防止し褥瘡予防効果をより一層のものとするため、図１に示すように、吸収体３は背側部分Ｂまで延在させない構造とするのが好ましい。かくして構成された吸収パッドにおいては、第１の易折り曲げ部３ｙを身体側（内面側）から見て山折りし、第２の易折り曲げ部３ｘを身体側（内面側）から見て谷折りすることにより、股間部Ｍの幅方向中央部がその左右両側に対して身体側に膨出し、膨出部分がその左右両側に支えられつつ身体股間に対して弾力的に密着し、尿吸収後の重さにも耐えて密着が維持されるようになる。そして、腹側部分Ｆが第２の易折り曲げ部３ｘよりも前側に位置する部分において股間部Ｍに対して身体側に起立し、下腹部に対しても良好にフィットし、腹側部分Ｆに不要な力が加わり難いため、腹側部分Ｆのずれに起因して股間部に隙間が発生するといった事態も発生し難くなる。
また、図示の形態では、吸収体３の後端が股間部Ｍと背側部分Ｂとの境界に位置するため、背側部分Ｂも股間部Ｍに対して身体側に起立し、身体臀部に対して良好にフィットする。
【００３６】
次に、上記のように構成された本実施の形態に係る吸収パッドの作用を説明する。
本実施の形態の吸収パッドによれば、透液性トップシート１と不透液性バックシート２との間に、身体の股間にあてがわれる股間部Ｍとその前側に延在する腹側部分Ｆとに亘るように形成された繊維集合体からなる吸収体３が、介在されている。また、この不透液性バックシート２の他面側に不織布からなる外装シート１２が積層されている。
【００３７】
この一方、吸収体３における股間部Ｍの両側部分に、それぞれ切り込みとされる一対の第１の易折り曲げ部３ｙがそれぞれ線状に股間部Ｍが延びる方向に沿って延在されていて、これら一対の第１の易折り曲げ部３ｙに対する外装シート１２の外側部分に２つの仮止め部であるメカニカルテープ１４ａ、１４ｂが設けられている。そして、これら一対の第１の易折り曲げ部３ｙで吸収体３をそれぞれ折り曲げた際に、メカニカルテープ１４ａ、１４ｂが外装シート１２の他の部分とそれぞれ接合できるようになっている。
【００３８】
具体的には、一対の第１の易折り曲げ部３ｙを挟んだ相互に異なる側であって、一対の第１の易折り曲げ部３ｙで吸収体３を折り曲げた際に外装シート１２の相互に異なる部分にそれぞれ配置される形で、これら２つのメカニカルテープ１４ａ、１４ｂが外装シート１２に設けられている。
【００３９】
つまり、吸収体３に一対の第１の易折り曲げ部３ｙを設けると共に、不透液性バックシート２に外装シート１２を積層するのに伴って一対の第１の易折り曲げ部３ｙよりも外装シート１２の外側部分にメカニカルテープ１４ａ、１４ｂを設けるようにした結果、吸収パッドを身体の股間に当てる際に、一対の第１の易折り曲げ部３ｙで吸収体３を折り曲げて、外装シート１２の外側部分同士をメカニカルテープ１４ａ、１４ｂによって仮止めることで、股間部Ｍにおいて常に吸収体３を含む吸収パッドの部分を山折り形状に保てることなる。従って、吸収パッドの山折り形状を保てるのに伴い、常に吸収パッドを身体の排尿口部に面状に密着できる結果として、腹側部分Ｆで局所吸収を促進して臀部を尿で濡らさないようにでき、これに伴って臀部の褥瘡等のスキントラブルを軽減できるようになる。
【００４０】
そして、本実施の形態によれば、２つのメカニカルテープ１４ａ、１４ｂが存在することで、股間部Ｍにおいて吸収体３を含む吸収パッドの部分をより確実に折り形状に保てるようになるだけでなく、紙おむつを穿く際には、この紙おむつの内面側に貼付けられている不織布に、外装シート１２の相互に異なる部分に幅広く配置される２つのメカニカルテープ１４ａ、１４ｂで接合することで、紙おむつに対する吸収性物品のずれも確実に防止できるようになる。
【００４１】
また、仮止め部をメカニカルテープ１４ａ、１４ｂとしたことで、一対の第１の易折り曲げ部３ｙに対する外装シート１２の外側部分同士をメカニカルテープ１４ａ、１４ｂにより接合して仮止める際に、吸収体３を股間部Ｍにおいてより確実に折り形状に保てるようになる。
【００４２】
他方、本実施の形態では、一対の第１の易折り曲げ部３ｙよりも吸収体３の後側部分に、吸収体３の一方の側縁から他方の側縁までに亘っての切り込みとなる拡散防止部３ｚが形成されていることから、常に吸収パッドを身体の排尿口部に面状に密着できるだけでなく、拡散防止部３ｚの存在によって、臀部側に尿が行くことをより確実にこの拡散防止部３ｚによって阻止できる。この結果として、腹側部分Ｆでの局所的な尿の吸収を促進して、臀部を尿で濡らすことを確実にように防止できる為、臀部の褥瘡等のスキントラブルを一層軽減できるようになる。
【００４３】
次に、本発明に係る吸収性物品の第２の実施の形態を同様に図示しつつ説明する。尚、第１の実施の形態で説明した部材と同一の部材には同一の符号を付して、重複した説明を省略する。
第１の実施の形態では、雄型のメカニカルテープ１４ａ、１４ｂを接着剤等で外装シート１２に貼付け、これらのメカニカルテープ１４ａ、１４ｂを外装シート１２の他の部分に接合させる構造として、メカニカルテープ１４ａ、１４ｂが接合された外装シート１２の部分とを仮止めするようにしたが、本実施の形態では、図７に示すように、それぞれ四角形に形成されて仮止め部とされる雄型のメカニカルテープ１４と雌型のメカニカルテープ１６とを用い、これらをそれぞれ接着剤等により外装シート１２に貼付ける構造とした。
【００４４】
つまり、本実施の形態では、雄型のメカニカルテープ１４が、一対の第１の易折り曲げ部３ｙの外側部分とされる図７の左側寄りの位置に配置され、雌型のメカニカルテープ１６が、一対の第１の易折り曲げ部３ｙの外側部分とされる図７の右側寄りの位置に配置されている。
【００４５】
この為、雄型のメカニカルテープ１４と雌型のメカニカルテープ１６とが、一対の第１の易折り曲げ部３ｙを挟んで相互に同一の位置に配置されていることになり、これら一対の第１の易折り曲げ部３ｙで吸収体３をそれぞれ折り曲げた際に、雄型のメカニカルテープ１４が雌型のメカニカルテープ１６と仮に接合されるようになる。この結果として、第１の実施の形態と同様に、吸収パッドの山折り形状を保てるのに伴い、臀部を尿で濡らさないようにできるので、臀部の褥瘡等のスキントラブルを軽減できる。
【００４６】
尚、上記第１の実施の形態では、仮止め部を２つの雄型のメカニカルテープ１４ａ、１４ｂとし、第２の実施の形態では、仮止め部を雄型のメカニカルテープ１４と雌型のメカニカルテープ１６としたが、仮止め部はこれらメカニカルテープに限定されず、また仮止め部の数も上記実施の形態の数に限定されず、更に多数としても良い。
【産業上の利用可能性】
【００４７】
本発明は、例えば、パンツ型紙おむつ、止着式紙おむつ、吸収パッドなどの吸収性物品に好適に利用可能なものである。
【図面の簡単な説明】
【００４８】
【図１】本発明の第１の実施の形態に係る吸収パッドの展開状態の平面図である。
【図２】吸収パッドの展開状態の裏面図である。
【図３】図１のＡ−Ａ断面図である。
【図４】本発明の第１の実施の形態に係る吸収パッドに適用されるメカニカルテープの拡大断面図である。
【図５】本発明の第１の実施の形態に係る吸収パッドを山折りにした状態を示す斜視図である。
【図６】本発明の第１の実施の形態に係る吸収パッドに適用される吸収体の平面図である。
【図７】本発明の第２の実施の形態に係る吸収パッドの展開状態の裏面図である。
【符号の説明】
【００４９】
１…透液性トップシート
２…不透液性バックシート
３…吸収体
３ｙ…第１の易折り曲げ部（スリット部）
３ｚ…拡散防止部
１２…外装シート
１４ａ…メカニカルテープ
１４ｂ…メカニカルテープ
１４…メカニカルテープ
１６…メカニカルテープ
Ｍ…股間部
Ｆ…腹側部分
【図１】
0005159341.tif 000002
【図２】
0005159341.tif 000003
【図３】
0005159341.tif 000004
【図４】
0005159341.tif 000005
【図５】
0005159341.tif 000006
【図６】
0005159341.tif 000007
【図７】
0005159341.tif 000008